(57)【特許請求の範囲】
【請求項１】
電池(2)を内蔵するケース(1)に、電子機器(9)を強制的に脱着する強制脱着機構(3)を設けている組電池であって、
前記強制脱着機構(3)が、電子機器(9)に向かって移動でき、電子機器(9)の押出位置と連結位置とに往復運動自在にケース(1)に連結しているイジェクタ(4)と、このイジェクタ(4)を連結位置に向かって弾性的に押圧しているコイルスプリング(5)と、このコイルスプリング(5)の内側にあって、前記ケース(1)の内面から突出して設けられてコイルスプリング(5)をケース(1)の定位置に配置してなるスプリングガイド(6)と、ケース(1)に設けてなるレバー(7)に連結されて、前記イジェクタ(4)を連結位置から押出位置に移動させる押出機構(8)とを備え、
さらに、前記イジェクタ(4)は、ケース(1)の表面側の端部に第１の係止ストッパ(11)を、反対側の端部に第２の係止ストッパ(12)を一体的に成形して設けており、
前記スプリングガイド(6)の外側に配設してなるコイルスプリング(5)が、第２の係止ストッパ(12)とケース(1)内面との間に配設されて、後端側の第２の係止ストッパ(12)を弾性的に押圧して、イジェクタ(4)を脱着位置から連結位置に向かって弾性的に押圧しており、
前記押出機構(8)のレバー(7)が操作されると、押出機構(8)がイジェクタ(4)を連結位置から押出位置に移動して、電子機器(9)を前記ケース(1)から強制的に分離するようにしてなる強制脱着機構を有する組電池。
【請求項２】
前記電子機器(9)がラップトップ型のマイクロコンピュータで、組電池がラップトップ型のマイクロコンピュータの底面に連結されて、イジェクタ(4)を下から上に移動させて連結位置から押出位置に移動させる請求項１に記載される強制脱着機構を有する組電池。
【請求項３】
前記強制脱着機構(3)のレバー(7)が、水平面内で回動できるようにケース(1)の側面に連結されてなる請求項１に記載される強制脱着機構を有する組電池。
【請求項４】
前記押出機構(8)がレバー(7)で往復運動されるスライド台(20)を備え、このスライド台(20)が、レバー(7)に往復運動されてイジェクタ(4)を押し上げる傾斜リブ(25)を有する請求項１に記載される強制脱着機構を有する組電池。
【請求項５】
前記スプリングガイド(6)が、ケース(1)の内面に突出する複数のリブ(6A)で構成される請求項１に記載される強制脱着機構を有する組電池。
【請求項６】
前記イジェクタ(4)が、後端の両側に第２の係止ストッパ(12)を突出させる形状に成形されてなる請求項１に記載される強制脱着機構(3)を有する組電池。
【発明の詳細な説明】
【技術分野】
【０００１】
本発明は、連結される電子機器を強制的に脱着する強制脱着機構を有する組電池に関し、とくに、ラップトップ型のマイクロコンピュータに最適な組電池に関する。
【背景技術】
【０００２】
ラップトップ型のマイクロコンピュータなどの電子機器に脱着自在に連結される組電池は開発されている（特許文献１参照）。
【特許文献１】特開２００１−４３９０５号公報
【発明の開示】
【発明が解決しようとする課題】
【０００３】
特許文献１に記載される組電池は、ラップトップ型のマイクロコンピュータに連結する脱着爪を設けている。この脱着爪は、ラップトップ型のマイクロコンピュータの底面に設けている脱着凹部に案内されて、組電池をマイクロコンピュータに連結する。この脱着爪は、マイクロコンピュータに設けている脱着凹部に挿入した状態で水平方向に移動させて、組電池をマイクロコンピュータに連結する。脱着爪が組電池をマイクロコンピュータに連結する状態にロックするために、組電池には、ケースから突出するロック爪を設けている。ロック爪は、弾性的にケースから突出している。ロック爪は、組電池をマイクロコンピュータの定位置に装着する状態で突出して、マイクロコンピュータの底面に設けているロック凹部に挿入されて、組電池がスライドするのを阻止する。
【０００４】
以上の構造の組電池は、マイクロコンピュータ等の電子機器から簡単に分離できない欠点がある。とくに、接点が電子機器に連結される状態では、組電池を強制的に電子機器から分離しないと、簡単に脱着できないことから、脱着に手間がかかる欠点がある。
【０００５】
本発明は、この欠点を解決することを目的に開発されたものである。本発明の重要な目的は、簡単かつ容易に電子機器に脱着できると共に、電子機器から強制的に外すために設けているイジェクタを簡単な構造にできる強制脱着機構を有する組電池を提供することにある。
【課題を解決するための手段】
【０００６】
本発明の強制脱着機構を有する組電池は、前述の目的を達成するために以下の構成を備える。
組電池は、電池２を内蔵するケース１に、電子機器９を強制的に脱着する強制脱着機構３を設けている。強制脱着機構３は、電子機器９に向かって移動でき、電子機器９の押出位置と連結位置とに往復運動自在にケース１に連結しているイジェクタ４と、このイジェクタ４を連結位置に向かって弾性的に押圧しているコイルスプリング５と、このコイルスプリング５の内側にあって、ケース１の内面から突出して設けられてコイルスプリング５をケース１の定位置に配置してなるスプリングガイド６と、ケース１に設けてなるレバー７に連結されて、イジェクタ４を連結位置から押出位置に移動させる押出機構８とを備える。イジェクタ４は、ケース１の表面側の端部に第１の係止ストッパ１１を、反対側の端部に第２の係止ストッパ１２を一体的に成形して設けている。スプリングガイド６の外側に配設してなるコイルスプリング５は、第２の係止ストッパ１２とケース１内面との間に配設されて、後端側の第２の係止ストッパ１２を弾性的に押圧して、イジェクタ４を脱着位置から連結位置に向かって弾性的に押圧している。強制脱着機構３は、押出機構８のレバー７が操作されると、押出機構８がイジェクタ４を連結位置から押出位置に移動させて、電子機器９をケース１から強制的に分離する。
【０００７】
本発明の請求項２の組電池は、電子機器９がラップトップ型のマイクロコンピュータで、組電池がラップトップ型のマイクロコンピュータの底面に連結されて、イジェクタ４を下から上に移動させて連結位置から押出位置に移動させる。
【０００８】
本発明の請求項３の組電池は、強制脱着機構３のレバー７を、水平面内で回動できるようにケース１の側面に連結している。
【０００９】
本発明の請求項４の組電池は、押出機構８がレバー７で往復運動されるスライド台２０を備え、このスライド台２０が、レバー７に往復運動されてイジェクタ４を押し上げる傾斜リブ２５を有する。
【００１０】
本発明の請求項５の組電池は、スプリングガイド６を、ケース１の内面に突出する複数のリブ６Ａで構成している。
【００１１】
本発明の請求項６の組電池は、イジェクタ４を、後端の両側に第２の係止ストッパ１２を突出させる形状に成形している。
【発明の効果】
【００１２】
本発明の組電池は、簡単かつ容易に電子機器に脱着できる特徴を実現しながら、電子機器から強制的に外すために設けているイジェクタを簡単な構造にできる特徴がある。電子機器から簡単に脱着できるのは、本発明の組電池が、レバーを操作してイジェクタを押し出して電子機器から強制的に分離できるからである。また、イジェクタを簡単な構造にできるのは、イジェクタには、ケースの表面側の端部に第１の係止ストッパを、反対側の端部に第２の係止ストッパを一体的に成形して設け、さらにイジェクタを弾性的に押圧するコイルスプリングの内側にスプリングガイドを設けて、コイルスプリングを第２の係止ストッパとケース内面との間に配設し、後端側に設けている第２の係止ストッパをコイルスプリングで弾性的に押圧して、イジェクタを脱着位置から連結位置に向かって弾性的に押圧しているからである。このイジェクタは、レバーで駆動される押出機構でもって連結位置から押出位置に移動して、電子機器を組電池から強制的に分離する。
【００１３】
本発明の請求項２の組電池は、ラップトップ型のマイクロコンピュータの底面に連結して、イジェクタを下から上に移動させて連結位置から押出位置に移動させる構造としている。この組電池は、外形を大きくできるので、組電池に収納する電池の容量を大きくできる。
【００１４】
本発明の請求項３の組電池は、記強制脱着機構のレバーを、水平面内で回動できるようにケースの側面に連結しているので、ケースの側面に配設されレバーを操作しやすく、簡単に電子機器から組電池を脱着できる。
【００１５】
本発明の請求項４の組電池は、押出機構がレバーで往復運動されるスライド台を備え、このスライド台が、レバーに往復運動されてイジェクタを押し上げる傾斜リブを有しているので、押出機構を簡単な構造としながら、レバーを操作してイジェクタを確実に電子機器に押しつけできる。
【００１６】
本発明の請求項５の組電池は、スプリングガイドを、ケースの内面に突出する複数のリブで構成しているので、コイルスプリングを定位置に配置しながら、イジェクタをスムーズに押圧できる。
【００１７】
本発明の請求項６の組電池は、イジェクタを、後端の両側に第２の係止ストッパを突出させる形状に成形しているので、第２の係止ストッパとケースとの間にコイルスプリングを抜けないように確実に保持できる。
【発明を実施するための最良の形態】
【００１８】
以下、本発明の実施例を図面に基づいて説明する。ただし、以下に示す実施例は、本発明の技術思想を具体化するための強制脱着機構を有する組電池を例示するものであって、本発明は組電池を以下の構造には特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図１と図２に示す強制脱着機構を有する組電池は、電池２を内蔵するケース１に、電子機器９（図１において概略の外形を点線で示す）であるラップトップ型のマイクロコンピュータに強制的に脱着する強制脱着機構３を設けている。図に示す組電池は、ケース１の上面に、電子機器９に接続される出力コネクタ３５を突出して設けている。この組電池は、電子機器９に連結する状態で、この出力コネクタ３５を電子機器９の入力コネクタ（図示せず）に連結して電力を供給する。
【００２１】
ケース１は、下ケース１Ａに上ケース１Ｂを連結して内部に複数の電池２と強制脱着機構３を内蔵している。図３は上ケース１Ｂを外した斜視図を示し、図４は上ケース１Ｂを外した斜視分解図を示している。さらに、図５と図６は強制脱着機構３を設けている部分の拡大斜視図を示している。
【００２２】
［強制脱着機構］
強制脱着機構３が、組電池を電子機器９に連結する状態を図１と図５に示す。組電池の連結状態において、レバー７はケース１の側面に収納される。組電池を電子機器９から外す状態を図２と図６に示している。この状態でレバー７はケース１から引き出すように回動される。回動されるレバー７は、図２の矢印Ａで示すように、ケース１からイジェクタ４を突出させる。突出するイジェクタ４は電子機器９の底面を押して、組電池を電子機器９から強制的に分離する。さらに、図の強制脱着機構３は、連結状態で組電池を電子機器９に連結する係止フック３０を設けている。係止フック３０は、ケース１から電子機器９に向かって突出して、連結状態においては電子機器９の底面に設けている係止部（図示せず）に係止されて、組電池を電子機器９に連結する。レバー７が回動されると、係止フック３０は図２の矢印Ｂで示すように移動して、電子機器９の係止部との係止状態が解除される。この組電池は、係止フック３０で電子機器９に確実に連結できる。
【００２３】
以上の動作をして組電池を電子機器９に強制的に脱着する強制脱着機構３は、電子機器９に向かって移動でき、電子機器９の押出位置と連結位置とに往復運動自在にケース１に連結しているイジェクタ４と、このイジェクタ４を連結位置に向かって弾性的に押圧しているコイルスプリング５と、このコイルスプリング５の内側にあって、ケース１の内面から突出して設けられて、コイルスプリング５をケース１の定位置に配置してなるスプリングガイド６と、ケース１に設けてなるレバー７に連結されて、イジェクタ４を連結位置から押出位置に移動させる押出機構８とを備える。
【００２４】
［イジェクタ］
イジェクタ４がケース１に連結される状態を図７ないし図１０に示している。ただし、これ等の図は、イジェクタ４の構造を理解しやすくするために、現実の使用状態から上下を反転して図示している。これ等の図に示すイジェクタ４は、上ケース１Ｂに垂直方向に、すなわち連結位置と脱着位置とに往復運動できるように連結される。さらに、イジェクタ４は、往復運動する範囲を制限するために、柱状部１０の両端に第１の係止ストッパ１１と第２の係止ストッパ１２を設けている。イジェクタ４は、プラスチックを成形する工程で、第１の係止ストッパ１１と第２の係止ストッパ１２とを一体的に成形して設けている。第１の係止ストッパ１１は、上ケース１Ｂの表面側の端部に設けられ、第２の係止ストッパ１２は、内面側の端部に設けられる。図のイジェクタ４は、第１の係止ストッパ１１を外形を四角形とする板状に成形して、第２の係止ストッパ１２は、端部の両側にロッドを突出させる形状に成形している。
【００２５】
第１の係止ストッパ１１は、上ケース１Ｂに設けている嵌着凹部１３に嵌着されて、連結位置において上ケース１Ｂの表面と同一面に配設される。上ケース１Ｂは、嵌着凹部１３の底面に、イジェクタ４の柱状部１０を上下に移動できる貫通孔１４を設けている。この貫通孔１４は、イジェクタ４の柱状部１０を通過させて、第１の係止ストッパ１１を通過させない形状、すなわち第１の係止ストッパ１１の外形よりも小さくしている。組電池が電子機器９に連結される状態で、イジェクタ４は、コイルスプリング５に付勢されて、第１の係止ストッパ１１を嵌着凹部１３に配置する。
【００２６】
第２の係止ストッパ１２は、コイルスプリング５を抜けないように係止して、コイルスプリング５でもって、イジェクタ４を連結位置に配置する。したがって、第２の係止ストッパ１２は、コイルスプリング５を係止できる長さに突出するロッドとしている。
【００２７】
［コイルスプリング］
コイルスプリング５は押しバネで、第２の係止ストッパ１２を介してイジェクタ４を弾性的に押圧して、連結位置に配置する。すなわち、コイルスプリング５は、押出機構８に押されないイジェクタ４を連結位置に配置する。コイルスプリング５は、上ケース１Ｂの内面と第２の係止ストッパ１２との間にあって、第２の係止ストッパ１２を弾性的に押圧する。このコイルスプリング５は、第２の係止ストッパ１２を弾性的に押し下げて、イジェクタ４を連結位置に配置する。
【００２８】
［スプリングガイド］
スプリングガイド６は、プラスチック製の上ケース１Ｂに一体的に成形して設けられる。スプリングガイド６は、コイルスプリング５の内側にあってイジェクタ４の柱状部１０の外側に配設される。すなわち、スプリングガイド６は、コイルスプリング５とイジェクタ４の柱状部１０の間に配設される。このスプリングガイド６は、コイルスプリング５の内側にあって、コイルスプリング５を伸縮できる状態で定位置に配置する。したがって、スプリングガイド６は、その外形をコイルスプリング５の内径よりも小さくしている。スプリングガイド６は、下ケース１Ａの内面に突出する複数のリブ６Ａで構成している。図のスプリングガイド６は、四角形のコーナーに位置して互いに平行に配設される４本のリブ６Ａで構成している。このスプリングガイド６は、第２の係止ストッパ１２をリブ６Ａの間に案内して、イジェクタ４を連結位置から脱着位置に移動させる。したがって、隣接するリブ６Ａの間に設けられるスリット１５の間隔は、第２の係止ストッパ１２のロッドを通過できる幅としている。
【００２９】
［レバー］
レバー７は、垂直な回転軸１６を介して下ケース１Ａに水平面内で回動できるように連結される。レバー７は、連結位置にあっては、下ケース１Ａの側面に収納される。したがって、下ケース１Ａは、レバー７を収納する収納部１７である凹部を側面に設けている。さらに、レバー７は、回転軸１６から先端に突出するように押圧アーム１８を連結している。この押圧アーム１８は、十分な強度を実現するように金属板で製作される。レバー７は、押圧アーム１８を除く部分をプラスチックで成形して、先端に金属板からなる押圧アーム１８を連結している。
【００３０】
［押出機構］
押出機構８は、レバー７の押圧アーム１８に押されて、レバー７がケース１から引き出すように回動されると、イジェクタ４を上ケース１Ｂの上面から突出させて、すなわち連結位置から押出位置に移動して、組電池を電子機器９から強制的に分離する。図の押出機構８は、レバー７の押圧アーム１８に押されて往復運動されるスライド台２０と、このスライド台２０を牽引している引っ張りバネ２１とを備える。
【００３１】
スライド台２０は、図３ないし図６に示すように、下ケース１Ａの側面に往復運動できるように内蔵されている。下ケース１Ａは、スライド台２０を往復運動させるガイドリブ２２を内面に突出するように一体的に成形して設けている。スライド台２０の一端には、引っ張りバネ２１を収納するスリット２３を設けている。このスリット２３に配設される引っ張りバネ２１は、スライド台２０を、レバー７の押圧アーム１８に押しつける方向に移動させる。スライド台２０はレバー７の押圧アーム１８を弾性的に押圧して、レバー７を下ケース１Ａの収納部１７である凹部に収納する。スライド台２０がレバー７の押圧アーム１８を押圧するスライド面２４は、レバー７を収納部１７に収納する状態で、押圧アーム１８と平行に沿う形状としている。
【００３２】
スライド台２０は、図４の一部拡大斜視図に示すように、イジェクタ４を押出位置に押し上げる傾斜リブ２５を上面に突出するように設けている。この傾斜リブ２５は、プラスチック製のスライド台２０に一体的に成形して設けられる。さらに、この傾斜リブ２５は、イジェクタ４を押し上げできる位置に配設される。図の組電池は、ふたつのイジェクタ４を設けているので、各々のイジェクタ４の下方に傾斜リブ２５を設けている。傾斜リブ２５は、往復運動する方向に高さが変化するように上縁を傾斜する形状に成形される。傾斜リブ２５は、スライド台２０が押出位置に移動されるとイジェクタ４を押し上げ（図６参照）、スライド台２０が連結位置に復帰するとイジェクタ４を押し上げない位置（図５参照）に配設される。すなわち、傾斜リブ２５は、スライド台２０の往復運動方向に伸びるように設けられて、押出位置ではイジェクタ４を押し上げ、連結位置ではイジェクタ４を押し上げないように上縁を傾斜する形状としている。
【００３３】
さらに、スライド台２０は、図４の一部拡大斜視図に示すように、係止フック３０を係止位置と脱着位置に移動させるスライドリブ２６を一体的に成形して設けている。このスライドリブ２６は、スライド台２０の上面に突出して設けているリブで、往復運動して係止フック３０を図２の矢印Ｂで示す方向に移動させるように傾斜している。係止フック３０は、図３に示すカバープレート２７を介して、下ケース１Ａの内面に、図２の矢印Ｂで示す方向に往復運動できるように連結される。カバープレート２７は、係止フック３０を貫通させるスリット２８を開口すると共に、図１１に示すように、内面に係止フック３０を往復運動させるガイド溝２９を設けており、このガイド溝２９に沿って係止フック３０を往復運動させる。
【００３４】
係止フック３０は、カバープレート２７のガイド溝２９に沿って往復運動するベースプレート３１にフック部３２を連結する形状に成形している。フック部３２は、ベースプレート３１から垂直に突出する形状としてプラスチックで一体的に成形して設けられる。ベースプレート３１は、図１１の底面斜視図に示すように、スライド台２０のスライドリブ２６（図において鎖線で示す）に当接する駆動部３３を下面に突出して設けている。さらに、係止フック３０のベースプレート３１は、押圧バネ３４を介してカバープレート２７に連結している。以上の係止フック３０は、スライド台２０が押出位置に移動されると、スライドリブ２６がベースプレート３１の駆動部３３の表面を摺動しながら、図１１の矢印Ａで示す方向に移動する。このとき、ベースプレート３１の駆動部３３は、スライドリブ２６に押圧されて、図の矢印Ｂで示す方向に移動する。この状態で、係止フック３０は図２の矢印Ｂで示すように移動して、電子機器の係止部との係止状態が解除される。スライド台２０が連結位置に復帰すると、スライドリブ２６が、図１１の矢印Ａと反対方向に移動し、ベースプレート３１が押圧バネ３４に押圧されて、係止フック３０は、図の矢印Ｂと反対方向に移動する。この状態で、係止フック３０は連結位置に復帰して、電子機器の係止部を係止できる状態となる。
【００３５】
以上の組電池は、レバー７を図１の連結位置に配設すると、図５に示すように、スライド台２０が押圧アーム１８で移動されない。この位置にあるスライド台２０は、傾斜リブ２５でイジェクタ４を押し上げず、また、スライド台２０のスライドリブ２６は係止フック３０の駆動部３３を押圧することなく、係止フック３０を電子機器９の係止位置に配設する。図２に示すように、レバー７がケース１の側面から引き出される位置に回動されると、図６に示すように、レバー７の押圧アーム１８がスライド台２０を押して脱着位置に移動させる。脱着位置に移動するスライド台２０は、傾斜リブ２５がイジェクタ４を押し上げて、イジェクタ４を押出位置に移動させる。押出位置に押し出されるイジェクタ４は、電子機器９を底面から押し上げて、組電池から強制的に分離する。さらに、スライド台２０のスライドリブ２６は、係止フック３０の駆動部３３を移動させて、係止フック３０の係止状態を解除する。したがって、レバー７がケース１から引き出されると、組電池は電子機器９から強制的に分離される。
【図面の簡単な説明】
【００３６】
【図１】本発明の一実施例にかかる強制脱着機構を有する組電池の斜視図である。
【図２】図１に示す組電池を電子機器から外す状態を示す斜視図である。
【図３】図１に示す組電池の上ケースを外した斜視図である。
【図４】図３に示す組電池の一部拡大分解斜視図である。
【図５】組電池を電子機器に連結する状態の強制脱着機構を示す拡大斜視図である。
【図６】組電池を電子機器から外す状態の強制脱着機構を示す拡大斜視図である。
【図７】上ケースの一部拡大斜視図である。
【図８】図７に示す上ケースのイジェクタの連結構造を示す分解斜視図である。
【図９】上ケースとイジェクタの連結構造を示す拡大分解斜視図である。
【図１０】上ケースとイジェクタの連結構造を示す拡大斜視図である。
【図１１】係止フックの底面斜視図である。
【符号の説明】
【００３７】
１…ケース                    １Ａ…下ケース
１Ｂ…上ケース
２…電池
３…強制脱着機構
４…イジェクタ
５…コイルスプリング
６…スプリングガイド          ６Ａ…リブ
７…レバー
８…押出機構
９…電子機器
１０…柱状部
１１…第１の係止ストッパ
１２…第２の係止ストッパ
１３…嵌着凹部
１４…貫通孔
１５…スリット
１６…回転軸
１７…収納部
１８…押圧アーム
２０…スライド台
２１…引っ張りバネ
２２…ガイドリブ
２３…スリット
２４…スライド面
２５…傾斜リブ
２６…スライドリブ
２７…カバープレート
２８…スリット
２９…ガイド溝
３０…係止フック
３１…ベースプレート
３２…フック部
３３…駆動部
３４…押圧バネ
３５…出力コネクタ
【図１】
0005235440.tif 000002
【図２】
0005235440.tif 000003
【図３】
0005235440.tif 000004
【図４】
0005235440.tif 000005
【図５】
0005235440.tif 000006
【図６】
0005235440.tif 000007
【図７】
0005235440.tif 000008
【図８】
0005235440.tif 000009
【図９】
0005235440.tif 000010
【図１０】
0005235440.tif 000011
【図１１】
0005235440.tif 000012